(57)【要約】【課題】本発明は、光学レンズ分野に関し、撮像光学レンズを提供する。【解決手段】当該撮像光学レンズは、物体側から像側に向かって順に配置された、絞り、第１レンズ、第２レンズ、第３レンズ、第４レンズおよび第５レンズからなり、前記撮像光学レンズは、条件式０．８３＜ｆ１／ｆ＜０．８７、−２．９＜ｆ２／ｆ＜−２．７、−８．３＜ｆ３／ｆ＜−８．０、０．５５＜ｆ４／ｆ＜０．６５、−０．５５＜ｆ５／ｆ＜−０．４５を満たす。本発明に係る撮像光学レンズは、光学系の大半の光学収差をより良く補正するとともに、高画素と大像高の需要を満たす。【選択図】図１
2019095763.tif 000002
【特許請求の範囲】
【請求項１】
撮像光学レンズであって、
物体側から像側に向かって順に配置された、絞り、正の屈折力を有する第１レンズ、負の屈折力を有する第２レンズ、負の屈折力を有する第３レンズ、正の屈折力を有する第４レンズおよび負の屈折力を有する第５レンズからなり、
撮像光学レンズ全体の焦点距離をｆ、前記第１レンズの焦点距離をｆ１、前記第２レンズの焦点距離をｆ２、前記第３レンズの焦点距離をｆ３、前記第４レンズの焦点距離をｆ４、前記第５レンズの焦点距離をｆ５としたときに、以下の条件式（１）〜（５）を満たすことを特徴とする撮像光学レンズ。
０．８３＜ｆ１／ｆ＜０．８７    （１）
−２．９＜ｆ２／ｆ＜−２．７    （２）
−８．３＜ｆ３／ｆ＜−８．０    （３）
０．５５＜ｆ４／ｆ＜０．６５    （４）
−０．５５＜ｆ５／ｆ＜−０．４５    （５）
【請求項２】
前記第３レンズのアッベ数をｖ３、前記第３レンズの屈折率をｎ３、前記第５レンズの屈折率をｎ５としたときに、以下の条件式（６）〜（７）を満たすことを特徴とする請求項１に記載の撮像光学レンズ。
９．５＜ｖ３／ｎ３＜１１．５    （６）
１．２５＜ｎ３／ｎ５＜１．３５    （７）
【請求項３】
前記第３レンズの厚みをｄ５、前記第４レンズの厚みをｄ７、前記第５レンズの厚みをｄ９としたときに、以下の条件式（８）〜（９）を満たすことを特徴とする請求項１に記載の撮像光学レンズ。
０．２６ｍｍ＜ｄ５＜０．２９ｍｍ    （８）
１．９＜ｄ７／ｄ９＜２．１    （９）
【請求項４】
前記第２レンズの物体側面の曲率半径をｒ３、前記第３レンズの物体側面の曲率半径をｒ５、前記第３レンズの像側面の曲率半径をｒ６としたときに、以下の条件式（１０）を満たすことを特徴とする請求項１に記載の撮像光学レンズ。
１００＜ｒ３／(ｒ５−ｒ６)＜１２０    （１０）
【請求項５】
前記第１レンズの焦点距離（ｆ１）、前記第２レンズの焦点距離（ｆ２）、前記第３レンズの焦点距離（ｆ３）、前記第４レンズの焦点距離（ｆ４）、前記第５レンズの焦点距離（ｆ５）は、以下の条件式（１１）〜（１５）を満たすことを特徴とする請求項１に記載の撮像光学レンズ。
３．７ｍｍ＜ｆ１＜３．８ｍｍ    （１１）
−１１ｍｍ＜ｆ２＜−１０ｍｍ    （１２）
−３２ｍｍ＜ｆ３＜−３０ｍｍ    （１３）
２．２ｍｍ＜ｆ４＜２．３ｍｍ    （１４）
−２．０ｍｍ＜ｆ５＜−１．８ｍｍ    （１５）
【請求項６】
前記第１レンズの屈折率をｎ１、前記第２レンズの屈折率をｎ２、前記第３レンズの屈折率をｎ３、前記第４レンズの屈折率をｎ４、前記第５レンズの屈折率をｎ５としたときに、以下の条件式（１６）〜（２０）を満たすことを特徴とする請求項１に記載の撮像光学レンズ。
１．５＜ｎ１＜１．６    （１６）
１．６＜ｎ２＜１．７    （１７）
１．９＜ｎ３＜２．１    （１８）
１．５＜ｎ４＜１．６    （１９）
１．５２＜ｎ５＜１．５５    （２０）
【請求項７】
前記第１レンズのアッベ数をｖ１、前記第２レンズのアッベ数をｖ２、前記第３レンズのアッベ数をｖ３、前記第４レンズのアッベ数をｖ４、前記第５レンズのアッベ数をｖ５としたときに、以下の条件式（２１）〜（２５）を満たすことを特徴とする請求項１に記載の撮像光学レンズ。
５５＜ｖ１＜５７    （２１）
２２＜ｖ２＜２５    （２２）
１９．５＜ｖ３＜２１．５    （２３）
５５＜ｖ４＜５７    （２４）
５５＜ｖ５＜５８    （２５）
【請求項８】
前記撮像光学レンズの光学長は、４．４８ｍｍ以下であることを特徴とする請求項１に記載の撮像光学レンズ。
【請求項９】
前記撮像光学レンズの絞りＦ値は、１．８以下であることを特徴とする請求項１に記載の撮像光学レンズ。
【請求項１０】
前記第２レンズの厚みをｄ３、前記第３レンズの厚みをｄ５としたときに、以下の条件式（２６）を満たすことを特徴とする請求項１に記載の撮像光学レンズ。
１．２５＜ｄ５／ｄ３＜１．３５    （２６）
【発明の詳細な説明】
【技術分野】
【０００１】
本発明は、光学レンズ分野に関し、特に撮像光学レンズに関する。
【背景技術】
【０００２】
近年、スマートフォンの登場に伴い、小型化の撮像レンズに対する需要がますます高まっているが、撮像レンズの感光素子は、一般的に、感光結合素子（Ｃｈａｒｇｅ  Ｃｏｕｐｌｅｄ  Ｄｅｖｉｃｅ、ＣＣＤ）又は相補型金属酸化物半導体素子（Ｃｏｍｐｌｅｍｅｎｔａｒｙ  Ｍｅｔａｌ−ＯｘｉｄｅＳｅｍｉｃｏｎｄｕｃｔｏｒ  Ｓｅｎｓｏｒ、ＣＭＯＳ  Ｓｅｎｓｏｒ）の２種類のみに大別される。また、半導体製造プロセスの技術の進歩により、感光素子の画素サイズが縮小可能であるとともに、現在の電子製品は、優れた機能および軽量化・薄型化・小型化の外観を発展の傾向とする。そのため、良好な結像品質を有する小型化の撮像レンズは、現在の市場において既に主流となっている。優れた結像品質を得るために、携帯電話のカメラに搭載された従来のレンズは、３枚式又は４枚式のレンズ構成を用いることが多い。また、技術の発展及びユーザの多様化のニーズの増加に伴い、感光素子の画素面積が縮小しつつあり且つ結像品質に対するシステムからの要求が高くなってきている場合には、５枚式のレンズ構成が徐々にレンズの設計に現れている。しかし、よく見られる５枚式のレンズは、光学系の大半の光学収差を補正可能であるが、高画素と大像高の需要を満たすことが容易ではない。
【発明の概要】
【発明が解決しようとする課題】
【０００３】
本発明は、上記問題に鑑みてなされたものであり、光学系の大半の光学収差をより良く補正するとともに、高画素と大像高の需要を満たす撮像光学レンズを提供することを目的とする。
【課題を解決するための手段】
【０００４】
上記問題を解決するために、本発明の実施形態は、撮像光学レンズを提供する。当該撮像光学レンズは、物体側から像側に向かって順に配置された、絞り、正の屈折力を有する第１レンズ、負の屈折力を有する第２レンズ、負の屈折力を有する第３レンズ、正の屈折力を有する第４レンズおよび負の屈折力を有する第５レンズからなり、撮像光学レンズ全体の焦点距離をｆ、前記第１レンズの焦点距離をｆ１、前記第２レンズの焦点距離をｆ２、前記第３レンズの焦点距離をｆ３、前記第４レンズの焦点距離をｆ４、前記第５レンズの焦点距離をｆ５としたときに、以下の条件式（１）〜（５）を満たす。
０．８３＜ｆ１／ｆ＜０．８７    （１）
−２．９＜ｆ２／ｆ＜−２．７    （２）
−８．３＜ｆ３／ｆ＜−８．０    （３）
０．５５＜ｆ４／ｆ＜０．６５    （４）
−０．５５＜ｆ５／ｆ＜−０．４５    （５）
【０００５】
本発明の実施形態は、従来技術に対して、上記レンズの配置方式より、異なる屈折力及び焦点距離を有するレンズを有効に利用して収差をより良く補正することで優れた結像品質を得るとともに、大きな像高も有するため、光学性能がより良好になり、高画素の携帯型撮像素子に適合する。
【０００６】
また、前記第３レンズのアッベ数をｖ３、前記第３レンズの屈折率をｎ３、前記第５レンズの屈折率をｎ５としたときに、以下の条件式（６）〜（７）を満たす。
９．５＜ｖ３／ｎ３＜１１．５    （６）
１．２５＜ｎ３／ｎ５＜１．３５    （７）
【０００７】
また、前記第３レンズの厚みをｄ５、前記第４レンズの厚みをｄ７、前記第５レンズの厚みをｄ９としたときに、以下の条件式（８）〜（９）を満たす。
０．２６ｍｍ＜ｄ５＜０．２９ｍｍ    （８）
１．９＜ｄ７／ｄ９＜２．１    （９）
【０００８】
また、前記第２レンズの物体側面の曲率半径をｒ３、前記第３レンズの物体側面の曲率半径をｒ５、前記第３レンズの像側面の曲率半径をｒ６としたときに、以下の条件式（１０）を満たす。
１００＜ｒ３／(ｒ５−ｒ６)＜１２０    （１０）
【０００９】
また、前記第１レンズの焦点距離ｆ１、前記第２レンズの焦点距離ｆ２、前記第３レンズの焦点距離ｆ３、前記第４レンズの焦点距離ｆ４、前記第５レンズの焦点距離ｆ５は、以下の条件式（１１）〜（１５）を満たす。
３．７ｍｍ＜ｆ１＜３．８ｍｍ    （１１）
−１１ｍｍ＜ｆ２＜−１０ｍｍ    （１２）
−３２ｍｍ＜ｆ３＜−３０ｍｍ    （１３）
２．２ｍｍ＜ｆ４＜２．３ｍｍ    （１４）
−２．０ｍｍ＜ｆ５＜−１．８ｍｍ    （１５）
【００１０】
また、前記第１レンズの屈折率をｎ１、前記第２レンズの屈折率をｎ２、前記第３レンズの屈折率をｎ３、前記第４レンズの屈折率をｎ４、前記第５レンズの屈折率をｎ５としたときに、以下の条件式（１６）〜（２０）を満たす。
１．５＜ｎ１＜１．６    （１６）
１．６＜ｎ２＜１．７    （１７）
１．９＜ｎ３＜２．１    （１８）
１．５＜ｎ４＜１．６    （１９）
１．５２＜ｎ５＜１．５５    （２０）
【００１１】
また、前記第１レンズのアッベ数をｖ１、前記第２レンズのアッベ数をｖ２、前記第３レンズのアッベ数をｖ３、前記第４レンズのアッベ数をｖ４、前記第５レンズのアッベ数をｖ５としたときに、以下の条件式（２１）〜（２５）を満たす。
５５＜ｖ１＜５７    （２１）
２２＜ｖ２＜２５    （２２）
１９．５＜ｖ３＜２１．５    （２３）
５５＜ｖ４＜５７    （２４）
５５＜ｖ５＜５８    （２５）
【００１２】
また、前記撮像光学レンズの光学長は、４．４８ｍｍ以下である。
【００１３】
また、前記撮像光学レンズの絞りＦ値は、１．８以下である。
【００１４】
また、前記第２レンズの厚みをｄ３、前記第３レンズの厚みをｄ５としたときに、以下の条件式（２６）を満たす。
１．２５＜ｄ５／ｄ３＜１．３５    （２６）
【図面の簡単な説明】
【００１５】
【図１】本発明の撮像光学レンズの第１実施形態の構成を示す模式図である。
【図２】図１に示す撮像光学レンズの軸上色収差を示す模式図である。
【図３】図１に示す撮像光学レンズの倍率色収差を示す模式図である。
【図４】図１に示す撮像光学レンズの像面湾曲及び歪曲収差を示す模式図である。
【図５】本発明の撮像光学レンズの第２実施形態の構成を示す模式図である。
【図６】図５に示す撮像光学レンズの軸上色収差を示す模式図である。
【図７】図５に示す撮像光学レンズの倍率色収差を示す模式図である。
【図８】図５に示す撮像光学レンズの像面湾曲及び歪曲収差を示す模式図である。
【発明を実施するための形態】
【００１６】
本発明の目的、解決手段及びメリットがより明瞭になるように、図面を参照しながら、本発明の各実施形態を以下に詳しく説明する。しかし、本発明の各実施形態において、本発明が良く理解されるように多くの技術的詳細が与えられているが、それらの技術的詳細および以下の各実施形態に基づく各種の変化及び修正が存在しなくとも、本発明の保護しようとするものを実現可能であることは、当業者に理解されるべきである。
【００１７】
図面を参照し、本発明は、撮像光学レンズを提供する。図１において、本発明の第１実施例の撮像光学レンズ１０が示されており、当該撮像光学レンズ１０は、５枚のレンズを備える。具体的に、前記撮像光学レンズ１０は、物体側から像側に向かって順次に配置された、絞りＳｔ、正の屈折力を有する第１レンズＬ１、負の屈折力を有する第２レンズＬ２、負の屈折力を有する第３レンズＬ３、正の屈折力を有する第４レンズＬ４及び負の屈折力を有する第５レンズＬ５からなる。第５レンズＬ５と像面Ｓｉとの間に光学フィルタ（ｆｉｌｔｅｒ）ＧＦなどの光学素子が設けられても良い。
【００１８】
第１レンズＬ１は、正の屈折力を有し、システム長を有効に減少し、物体側面が外方へ突出して凸面をなす。絞りＳｔは、被写体と第１レンズＬ１の間に配置される。第２レンズＬ２は、負の屈折力を有し、本実施例において、第２レンズＬ２の像側面が凹面である。第３レンズＬ３は、負の屈折力を有し、本実施例において、第３レンズＬ３の物体側面が凹面であり、像側面が凸面である。第４レンズＬ４は、正の屈折力を有し、第１レンズＬ１の正の屈折力を配分可能であり、システムの敏感度を更に低減し、本実施例において、第４レンズＬ４の物体側面が凹面であり、像側面が凸面である。第５レンズＬ５は、負の屈折力を有し、本実施例において、第５レンズＬ５の物体側面が凹面である。
【００１９】
ここで、撮像光学レンズ１０全体の焦点距離をｆ、前記第１レンズＬ１の焦点距離をｆ１、前記第２レンズＬ２の焦点距離をｆ２、前記第３レンズＬ３の焦点距離をｆ３、前記第４レンズＬ４の焦点距離をｆ４、前記第５レンズＬ５の焦点距離をｆ５、前記第３レンズのアッベ数をｖ３、前記第３レンズの屈折率をｎ３、前記第５レンズの屈折率をｎ５、前記第３レンズの厚みをｄ５、前記第４レンズの厚みをｄ７、前記第５レンズの厚みをｄ９、前記第２レンズの物体側面の曲率半径をｒ３、前記第３レンズの物体側面の曲率半径をｒ５と定義すると、条件式０．８３＜ｆ１／ｆ＜０．８７、−２．９＜ｆ２／ｆ＜−２．７、−８．３＜ｆ３／ｆ＜−８．０、０．５５＜ｆ４／ｆ＜０．６５、−０．５５＜ｆ５／ｆ＜−０．４５、９．５＜ｖ３／ｎ３＜１１．５、１．２５＜ｎ３／ｎ５＜１．３５、０．２６＜ｄ５＜０．２９、１．９＜ｄ７／ｄ９＜２．１、１００＜ｒ３／(ｒ５−ｒ６)＜１２０を満たす。
【００２０】
本発明の前記撮像光学レンズ１０の焦点距離及び各レンズの焦点距離、アッベ数、屈折率、レンズ厚みと曲率半径が上記条件式を満たすとき、各レンズの屈折力の大小配置を制御・調整可能であり、収差をより良く補正して結像品質を保証するとともに、高画素と大像高の設計需要を満たし、高画素の携帯型撮像装置に一層適合する。
【００２１】
具体的に、本発明の実施例において、前記第１レンズの焦点距離ｆ１、前記第２レンズの焦点距離ｆ２、前記第３レンズの焦点距離ｆ３、前記第４レンズの焦点距離ｆ４及び前記第５レンズの焦点距離ｆ５は、条件式３．７＜ｆ１＜３．８、−１１＜ｆ２＜−１０、−３２＜ｆ３＜−３０、２．２＜ｆ４＜２．３、−２．０＜ｆ５＜−１．８、単位：ミリメートル（ｍｍ）を満たすように設計可能である。このように設計すると、撮像光学レンズ１０全体の光学長ＴＴＬを出来るだけ短くし、小型化の特性を維持可能である。
【００２２】
本発明の実施例の前記撮像光学レンズ１０の光学長ＴＴＬ≦４．４８ｍｍであることが好ましい。このように設計すると、撮像光学レンズ１０の小型化設計の実現に一層有利になる。本発明の実施例では、撮像光学レンズ１０の絞りＦ値が１．８以下であることが好ましい。それは、前記撮像光学レンズ１０が大きな相対口径を有する光学系であり、低照度環境での結像性能を向上可能であり、システムの超大絞りを実現する。
【００２３】
本発明の実施例では、前記第２レンズの厚みｄ３と前記第３レンズの厚みｄ５が条件式１．２５＜ｄ５／ｄ３＜１．３５を満たすことが好ましい。このように設計すると、第２レンズＬ２と第３レンズＬ３が最良の厚みを有し、光学系の組み立てや配置に有利になる。
【００２４】
本発明の撮像光学レンズ１０では、各レンズの材質がガラスまたはプラスチックであってもよい。レンズの材質がガラスである場合、本発明の光学系の屈折力配置の自由度が向上可能であり、レンズ材質がプラスチックである場合、生産コストを有効に低減可能である。
【００２５】
本発明の実施例では、前記第３レンズの材質がガラスである。ガラス材質は、屈折率が高くて光透過性が良いため、前記撮像光学レンズの光学性能を有効に向上可能である。前記第１レンズと前記第２レンズと第４レンズと第５レンズとの材質がプラスチックであるため、生産コストを有効に低減可能である。
【００２６】
更に、本発明の好適な実施例では、前記第１レンズの屈折率ｎ１、前記第２レンズの屈折率ｎ２、前記第３レンズの屈折率ｎ３、前記第４レンズの屈折率ｎ４、および前記第５レンズの屈折率ｎ５は、条件式１．５＜ｎ１＜１．６、１．６＜ｎ２＜１．７、１．９＜ｎ３＜２．１、１．５＜ｎ４＜１．６、１．５２＜ｎ５＜１．５５を満たす。このように設計すると、レンズが光学材質においても適切なマッチングを取るのに有利になり、更に当該撮像光学レンズ１０が良好な結像品質を得ることができる。
【００２７】
説明すべきことは、本発明の実施例において、前記第１レンズのアッベ数ｖ１、前記第２レンズのアッベ数ｖ２、前記第３レンズのアッベ数ｖ３、前記第４レンズのアッベ数ｖ４、および前記第５レンズのアッベ数ｖ５が条件式５５＜ｖ１＜５７、２２＜ｖ２＜２５、１９．５＜ｖ３＜２１．５、５５＜ｖ４＜５７、５５＜ｖ５＜５８を満たすように設計可能である。このように設計すると、撮像光学レンズ１０の結像時の光学色収差現象を有効に抑圧できる。
【００２８】
理解できるように、上記各レンズの屈折率の設計案とアッベ数の設計案とを互いに組み合わせて撮像光学レンズ１０の設計に適用してもよい。こうして、前記第２レンズＬ２と第３レンズＬ３とが高屈折率且つ低アッベ数の光学材料を採用して製造され、レンズの色収差を有効に減少可能であり、撮像光学レンズ１０の結像品質が大幅に向上する。
【００２９】
なお、レンズの表面が非球面として設置されてもよい。非球面は、球面以外の形状として容易に製造され、多くの制御変数を取得して収差を削減し、更に使用すべきレンズの数を削減可能であるため、本発明の撮像光学レンズの全長を有効に減少可能である。本発明の実施例において、各レンズの物体側面及び像側面は、何れも非球面である。
【００３０】
前記レンズの物体側面および／または像側面に変曲点および／または停留点を設けて高品質の結像需要を満たすことも好ましい。具体的な実施可能案は、下記を参照される。
【００３１】
本発明の実施例１に係る撮像光学レンズ１０の設計データは、以下に示される。
【００３２】
表１、表２は、本発明の実施例１の撮像光学レンズ１０のデータを示す。
【００３３】
【表１】
2019095763.tif 000003
【００３４】
各符号の意味は、下記のようになる。
ｆ：撮像光学レンズ１０の焦点距離、
ｆ１：第１レンズＬ１の焦点距離、
ｆ２：第２レンズＬ２の焦点距離、
ｆ３：第３レンズＬ３の焦点距離、
ｆ４：第４レンズＬ４の焦点距離、
ｆ５：第５レンズＬ５の焦点距離。
【００３５】
【表２】
2019095763.tif 000004
【００３６】
ただし、Ｒ１、Ｒ２は、第１レンズＬ１の物体側面、像側面であり、Ｒ３、Ｒ４は、第２レンズＬ２の物体側面、像側面であり、Ｒ５、Ｒ６は、第３レンズＬ３の物体側面、像側面であり、Ｒ７、Ｒ８は、第４レンズＬ４の物体側面、像側面であり、Ｒ９、Ｒ１０は、第５レンズＬ５の物体側面、像側面であり、Ｒ１１、Ｒ１２は、光学フィルタＧＦの物体側面、像側面である。他の各符号の意味は、下記のようになる。
【００３７】
ｄ０：絞りＳｔから第１レンズＬ１の物体側面までの軸上距離、
ｄ１：第１レンズＬ１の軸上厚み、
ｄ２：第１レンズＬ１の像側面から第２レンズＬ２の物体側面までの軸上距離、
ｄ３：第２レンズＬ２の軸上厚み、
ｄ４：第２レンズＬ２の像側面から第３レンズＬ３の物体側面までの軸上距離、
ｄ５：第３レンズＬ３の軸上厚み、
ｄ６：第３レンズＬ３の像側面から第４レンズＬ４の物体側面までの軸上距離、
ｄ７：第４レンズＬ４の軸上厚み、
ｄ８：第４レンズＬ４の像側面から第５レンズＬ５の物体側面までの軸上距離、
ｄ９：第５レンズＬ５の軸上厚み、
ｄ１０：第５レンズＬ５の像側面から光学フィルタＧＦの物体側面までの軸上距離、
ｄ１１：光学フィルタＧＦの軸上厚み、
ｄ１２：光学フィルタＧＦの像側面から像面までの軸上距離、
ｎｄ１：第１レンズＬ１の屈折率、
ｎｄ２：第２レンズＬ２の屈折率、
ｎｄ３：第３レンズＬ３の屈折率、
ｎｄ４：第４レンズＬ４の屈折率、
ｎｄ５：第５レンズＬ５の屈折率、
ｎｄｇ：光学フィルタＧＦの屈折率、
ｖ１：第１レンズＬ１のアッベ数、
ｖ２：第２レンズＬ２のアッベ数、
ｖ３：第３レンズＬ３のアッベ数、
ｖ４：第４レンズＬ４のアッベ数、
ｖ５：第５レンズＬ５のアッベ数、
ｖｇ：光学フィルタＧＦのアッベ数。
【００３８】
表３は、本発明の実施例１の撮像光学レンズ１０における各レンズの非球面データを示す。
【００３９】
【表３】
2019095763.tif 000005
【００４０】
表４、表５は、本発明の実施例１の撮像光学レンズ１０における各レンズの変曲点および停留点の設計データを示す。ただし、Ｒ１、Ｒ２は、それぞれ第１レンズＬ１の物体側面と像側面を表し、Ｒ３、Ｒ４は、それぞれ第２レンズＬ２の物体側面と像側面を表し、Ｒ５、Ｒ６は、それぞれ第３レンズＬ３の物体側面と像側面を表し、Ｒ７、Ｒ８は、それぞれ第４レンズＬ４の物体側面と像側面を表し、Ｒ９、Ｒ１０は、それぞれ第５レンズＬ５の物体側面と像側面を表す。「変曲点位置」欄の対応するデータは、各レンズの表面に設置された変曲点から撮像光学レンズ１０の光軸までの垂直距離である。「停留点位置」欄の対応するデータは、各レンズの表面に設置された停留点から撮像光学レンズ１０の光軸までの垂直距離である。
【００４１】
【表４】
2019095763.tif 000006
【００４２】
【表５】
2019095763.tif 000007
【００４３】
図２、図３は、波長４８６ｎｍ、５８８ｎｍと６５６ｎｍの光が実施例１の撮像光学レンズ１０を通った後の軸上色収差および倍率色収差をそれぞれ示す模式図である。図４は、波長５８８ｎｍの光が実施例１の撮像光学レンズ１０を通った後の像面湾曲及び歪曲収差を示す模式図である。
【００４４】
以下の表６では、上記条件式に従って本実施例における各条件式に対応する数値が挙げられている。明らかに、本実施例の撮像光学レンズ１０は、上記条件式を満たしている。
【００４５】
【表６】
2019095763.tif 000008
【００４６】
本実施例では、前記撮像光学レンズの入射瞳径が２．０９ｍｍであり、全視野の像高が３．２６１ｍｍであり、対角線方向の画角が８０．８４°である。
【００４７】
図５は、本発明の第２実施例の撮像光学レンズ２０を示す。前記撮像光学レンズ２０と第１実施例の撮像光学レンズ１０とが構成・配置において大体同じである。本発明の実施例２に係る撮像光学レンズ２０の設計データは、以下に示される。
【００４８】
表７、表８は、本発明の実施例２の撮像光学レンズ２０のデータを示す。
【００４９】
【表７】
2019095763.tif 000009
【００５０】
各符号の意味は、下記のようになる。
ｆ：撮像光学レンズ２０の焦点距離、
ｆ１：第１レンズＬ１の焦点距離、
ｆ２：第２レンズＬ２の焦点距離、
ｆ３：第３レンズＬ３の焦点距離、
ｆ４：第４レンズＬ４の焦点距離、
ｆ５：第５レンズＬ５の焦点距離。
【００５１】
【表８】
2019095763.tif 000010
【００５２】
ただし、Ｒ１、Ｒ２は、第１レンズＬ１の物体側面、像側面であり、Ｒ３、Ｒ４は、第２レンズＬ２の物体側面、像側面であり、Ｒ５、Ｒ６は、第３レンズＬ３の物体側面、像側面であり、Ｒ７、Ｒ８は、第４レンズＬ４の物体側面、像側面であり、Ｒ９、Ｒ１０は、第５レンズＬ５の物体側面、像側面であり、Ｒ１１、Ｒ１２は、光学フィルタＧＦの物体側面、像側面である。他の各符号の意味は、下記のようになる。
【００５３】
ｄ０：絞りＳｔから第１レンズＬ１の物体側面までの軸上距離、
ｄ１：第１レンズＬ１の軸上厚み、
ｄ２：第１レンズＬ１の像側面から第２レンズＬ２の物体側面までの軸上距離、
ｄ３：第２レンズＬ２の軸上厚み、
ｄ４：第２レンズＬ２の像側面から第３レンズＬ３の物体側面までの軸上距離、
ｄ５：第３レンズＬ３の軸上厚み、
ｄ６：第３レンズＬ３の像側面から第４レンズＬ４の物体側面までの軸上距離、
ｄ７：第４レンズＬ４の軸上厚み、
ｄ８：第４レンズＬ４の像側面から第５レンズＬ５の物体側面までの軸上距離、
ｄ９：第５レンズＬ５の軸上厚み、
ｄ１０：第５レンズＬ５の像側面から光学フィルタＧＦの物体側面までの軸上距離、
ｄ１１：光学フィルタＧＦの軸上厚み、
ｄ１２：光学フィルタＧＦの像側面から像面までの軸上距離、
ｎｄ１：第１レンズＬ１の屈折率、
ｎｄ２：第２レンズＬ２の屈折率、
ｎｄ３：第３レンズＬ３の屈折率、
ｎｄ４：第４レンズＬ４の屈折率、
ｎｄ５：第５レンズＬ５の屈折率、
ｎｄｇ：光学フィルタＧＦの屈折率、
ｖ１：第１レンズＬ１のアッベ数、
ｖ２：第２レンズＬ２のアッベ数、
ｖ３：第３レンズＬ３のアッベ数、
ｖ４：第４レンズＬ４のアッベ数、
ｖ５：第５レンズＬ５のアッベ数、
ｖｇ：光学フィルタＧＦのアッベ数。
【００５４】
表９は、本発明の実施例２の撮像光学レンズ２０における各レンズの非球面データを示す。
【００５５】
【表９】
2019095763.tif 000011
【００５６】
表１０、表１１は、本発明の実施例２の撮像光学レンズ２０における各レンズの変曲点および停留点の設計データを示す。ただし、Ｒ１、Ｒ２は、それぞれ第１レンズＬ１の物体側面と像側面を表し、Ｒ３、Ｒ４は、それぞれ第２レンズＬ２の物体側面と像側面を表し、Ｒ５、Ｒ６は、それぞれ第３レンズＬ３の物体側面と像側面を表し、Ｒ７、Ｒ８は、それぞれ第４レンズＬ４の物体側面と像側面を表し、Ｒ９、Ｒ１０は、それぞれ第５レンズＬ５の物体側面と像側面を表す。「変曲点位置」欄の対応するデータは、各レンズの表面に設置された変曲点から撮像光学レンズ２０の光軸までの垂直距離である。「停留点位置」欄の対応するデータは、各レンズの表面に設置された停留点から撮像光学レンズ２０の光軸までの垂直距離である。
【００５７】
【表１０】
2019095763.tif 000012
【００５８】
【表１１】
2019095763.tif 000013
【００５９】
図６、図７は、それぞれ波長４８６ｎｍ、５８８ｎｍと６５６ｎｍの光が実施例２の撮像光学レンズ２０を通った後の軸上色収差および倍率色収差を示す模式図である。図８は、波長５８８ｎｍの光が実施例２の撮像光学レンズ２０を通った後の像面湾曲及び歪曲収差を示す模式図である。
【００６０】
以下の表１２では、上記条件式に従って本実施例における各条件式に対応する数値が挙げられている。明らかに、本実施例の撮像光学レンズ２０は、上記条件式を満たしている。
【００６１】
【表１２】
2019095763.tif 000014
【００６２】
本実施例では、前記撮像光学レンズの入射瞳径が２．０８ｍｍであり、全視野の像高が３．２６１ｍｍであり、対角線方向の画角が８１．０８°である。
【００６３】
当業者であれば分かるように、上記各実施形態が本発明を実現するための具体的な実施形態であり、実際の応用において、本発明の要旨と範囲から逸脱しない限り、形式及び詳細に対する各種の変更は可能である。
【図１】
2019095763.tif 000015
【図２】
2019095763.tif 000016
【図３】
2019095763.tif 000017
【図４】
2019095763.tif 000018
【図５】
2019095763.tif 000019
【図６】
2019095763.tif 000020
【図７】
2019095763.tif 000021
【図８】
2019095763.tif 000022